(57)【要約】【課題】Ｏ脚や変形性膝関節症（内反変位）の患者、又はその傾向のある者が装着するのに好適なインソール及びハーフインソールを提供する。【解決手段】全体として板状である可撓性材料からなり、足裏に対応した平面形状を有するインソールにおいて、インソール表面の外側（足の小指側）にスポット状に設けた隆起部と、インソール表面の内側（足の親指側）にスポット状に設けた凹部とを、歩行時の足裏の重心移動ラインに沿って配設したインソール。このインソールの前半部分を切り欠いたハーフインソール。【選択図】図２
2010115291.tif 000002
【特許請求の範囲】
【請求項１】
全体として板状である可撓性材料からなり、足裏に対応した平面形状を有するインソールにおいて、
インソール表面の外側（足の小指側）にスポット状に設けた隆起部と、インソール表面の内側（足の親指側）にスポット状に設けた凹部とを、歩行時の足裏の重心移動ラインに沿って配設したことを特徴とするインソール。
【請求項２】
前記隆起部が下記の（１）及び（２）に示すものであり、前記凹部が下記の（３）に示すものであることを特徴とする請求項１に記載のインソール。
（１）外側縦アーチ後部に位置する立方骨に当接して、これを支持するように隆起した外側縦アーチ後部隆起部。
（２）第３趾〜第４趾の中足骨アーチ部に当接するように隆起した中央外側隆起と外側縦アーチの中央下部を横断するように隆起した外側縦アーチ隆起からなる中足骨外側隆起部。
（３）親指の中足骨骨頭部下側にある種子骨を受け止める位置にある種子骨凹部。
【請求項３】
前記種子骨凹部が、インソール表面の基準面よりも下方へ凹陥した凹部であり、あるいはインソールを底部までくり抜いた孔であることを特徴とする請求項２に記載のインソール。
【請求項４】
全体として板状である可撓性材料からなり、足裏の後半部に対応した平面形状を有するハーフインソールであって、
インソール表面の外側（足の小指側）にスポット状に設けた隆起部を歩行時の足裏の重心移動ラインに沿って配設したことを特徴とするハーフインソール。
【請求項５】
前記隆起部が下記の（１）及び（２）に示すものであることを特徴とする請求項４に記載のハーフインソール。
（１）外側縦アーチ後部に位置する立方骨に当接して、これを支持するように隆起した外側縦アーチ後部隆起部。
（２）第３趾〜第４趾の中足骨アーチ部に当接するように隆起した中央外側隆起と外側縦アーチの中央下部を横断するように隆起した外側縦アーチ隆起からなる中足骨外側隆起部。
【発明の詳細な説明】
【技術分野】
【０００１】
本発明は、履物用のインソール（中敷きパッド）、及びハーフインソールに関する。更に詳しくは、本発明は、Ｏ脚や変形性膝関節症（内反変位）の患者、又はその傾向のある者が装着するのに好適なインソール及びハーフインソールに関する。
【背景技術】
【０００２】
靴、スリッパ、サンダル等の履物に使用するインソール（中敷きパッド）としては、例えば通気性の材料を用いて履物内部の喚気による脱臭効果等を狙ったものもあるが、一方で、インソールの適部に種々の形態の凹凸を形成して、足骨格や筋肉作用の不具合の矯正、又は良好なバランス確保等を狙ったものが提案されている。
【０００３】
その一例として、Ｏ脚や変形性膝関節症（内反変位）の治療・矯正を目的とするインソールが挙げられる。中高年ないし高齢者における膝の痛みの多くが変形性膝関節症に起因するとも言われており、Ｏ脚や変形性膝関節症（内反変位）の治療・矯正に有効なインソールは非常に有用である。
【０００４】
従来、このような目的を持ったインソールにおいては、基本的に、インソールの表面を外側（足の小指側）から内側（足の親指側）に向かって次第に低くなるように傾斜させている。即ち、インソール表面のこのような傾斜は、装着者の足首を内反変位とは逆の方向に外反変位（Ｏ脚とは逆のＸ脚の状態）させるため、Ｏ脚あるいは内反変位の変形性膝関節症の治療・矯正に有効である、という考え方に基づくものである。
【特許文献１】特開２００５−３０４５８３号公報  例えば、上記の特許文献１においては、履物の内側方向（親指側方向）に向かうほど下方に位置する傾斜面を持ち、かつ第１中足骨ないし第２中足骨の接地部から足先までの部分（内側の足先方向部分）を一段と低く形成した「履物のインソール構造」を開示している。そしてこのインソール構造は、Ｏ脚の患者や内反変位の変形性膝関節症患者のスムーズな歩行を可能にする、としている。
【発明の開示】
【発明が解決しようとする課題】
【０００５】
しかし、本願発明者の研究によれば、Ｏ脚や変形性膝関節症（内反変位）の患者が、外側から内側に向かって次第に低くなる傾斜の従来型インソールを長期間にわたり使用すると、図１（右足を後方から見た図）に示すように、インソールＩが足首Ｎの外反変位変形を助長し、そのことが逆に下腿Ｌの外側方向への屈曲をもたらして、膝Ｋの内反変位変形を悪化させてしまう可能性があることが分かってきた。
【０００６】
そこで本発明は、このような不具合を伴わずに、Ｏ脚や変形性膝関節症を治療・矯正することができるインソールあるいはハーフインソールを提供することを、解決すべき技術的課題とする。
【０００７】
本願発明者は、インソールを用いたＯ脚あるいは変形性膝関節症（内反変位）の治療・矯正にあたり、足首を外反変位と内反変位とのニュートラルポジションでダイナミックに処置することが重要であるとの見地から、本発明を完成した。
【課題を解決するための手段】
【０００８】
（第１発明）
上記課題を解決するための本願第１発明の構成は、全体として板状である可撓性材料からなり、足裏に対応した平面形状を有するインソールにおいて、
インソール表面の外側（足の小指側）にスポット状に設けた隆起部と、インソール表面の内側（足の親指側）にスポット状に設けた凹部とを、歩行時の足裏の重心移動ラインに沿って配設した、インソールである。
【０００９】
（第２発明）
上記課題を解決するための本願第２発明の構成は、前記第１発明に係る隆起部が下記の（１）及び（２）に示すものであり、前記凹部が下記の（３）に示すものである、インソールである。
（１）外側縦アーチ後部に位置する立方骨に当接して、これを支持するように隆起した外側縦アーチ後部隆起部。
（２）第３趾〜第４趾の中足骨アーチ部に当接するように隆起した中央外側隆起と外側縦アーチの中央下部を横断するように隆起した外側縦アーチ隆起からなる中足骨外側隆起部。
（３）親指の中足骨骨頭部下側にある種子骨を受け止める位置にある種子骨凹部。
【００１０】
（第３発明）
上記課題を解決するための本願第３発明の構成は、前記第２発明に係る種子骨凹部が、インソール表面の基準面よりも下方へ凹陥した凹部であり、あるいはインソールを底部までくり抜いた孔である、インソールである。
【００１１】
（第４発明）
上記課題を解決するための本願第４発明の構成は、全体として板状である可撓性材料からなり、足裏の後半部に対応した平面形状を有するハーフインソールであって、
インソール表面の外側（足の小指側）にスポット状に設けた隆起部を歩行時の足裏の重心移動ラインに沿って配設した、ハーフインソールである。
【００１２】
（第５発明）
上記課題を解決するための本願第５発明の構成は、前記第４発明に係る隆起部が下記の（１）及び（２）に示すものである、ハーフインソールである。
（１）外側縦アーチ後部に位置する立方骨に当接して、これを支持するように隆起した外側縦アーチ後部隆起部。
（２）第３趾〜第４趾の中足骨アーチ部に当接するように隆起した中央外側隆起と外側縦アーチの中央下部を横断するように隆起した外側縦アーチ隆起からなる中足骨外側隆起部。
【発明の効果】
【００１３】
（第１発明の効果）
後述の実施例において重心移動ラインＡとして具体的に示すように、歩行時において後部（踵の部分）から前部（足先部）へ向って移動する足裏の重心は、重心移動の前期、即ち重心が足裏の後半部を移動中には外側（小指側）に重心が偏って移動し、次いで、重心移動の後期、即ち重心が足裏の前半部を移動してゆく際には内側（親指側）に重心が偏って移動することが知られている。
【００１４】
この点を考慮して、第１発明のインソールにおいては、表面の外側（足の小指側）にスポット状に設けた隆起部と、表面の内側（足の親指側）にスポット状に設けた凹部とを歩行時の足裏の重心移動ラインに沿って配設している。そのため、本発明のインソールでは、Ｏ脚あるいは変形性膝関節症（内反変位）の治療・矯正を、外反変位と内反変位とのニュートラルポジションでダイナミックに処置することができる。
【００１５】
「ニュートラルポジションで処置する」とは、以下のことを言う。即ち、まず、重心移動の前期においては、外側に偏って移動する足裏の重心に対して、インソール表面の外側に設けた隆起部が強い支持効果を示す。これらの隆起部はスポット状に設けられているので、隆起部によって足骨格中の特定の部分だけが選択的に支持され、足骨格全体としては内反変位でも外反変位でもない中立状態（ニュートラルポジション）に維持される。その結果、前記した従来技術のように足骨格全体の無差別な外反変位や踵骨の固定的な外反変位状態が起こらず、しかも歩行が容易であってＯ脚や変形性膝関節症の治療・矯正の効果を期待できる。
【００１６】
次に、重心移動の後期に入ると重心が足裏の前半部へ移行するが、そのような重心はインソール表面の内側にスポット状に設けた凹部によって、足骨格中の特定の部分だけで受け止められ、足骨格全体としては内反変位でも外反変位でもない中立状態（ニュートラルポジション）に維持される。従って、上記と同様に踵骨の固定的な外反変位状態が起こらず、歩行が容易であって、Ｏ脚や変形性膝関節症の治療・矯正の効果を期待できる。
【００１７】
「ダイナミックに処置する」とは、以上にも述べたように、重心移動の前期と後期において、機能する部分がインソール表面の外側にスポット状に設けた隆起部からインソール表面の内側にスポット状に設けた凹部へと頻繁に移行し、前記した従来技術のように歩行中におけるインソールの支持手段及びその作用が固定的（スタティック）ではないことを言う。第１発明のインソールではダイナミックな処置が行われるので、足首が内反変位方向や外反変位方向へ固定化される恐れがない。
【００１８】
（第２発明の効果）
第２発明のインソールにおいては、インソール表面の外側にスポット状に設けた隆起部が前記の外側縦アーチ後部隆起部と中足骨外側隆起部であり、インソール表面の内側にスポット的に設けた凹部が前記の種子骨凹部である。
【００１９】
前記した重心移動の前期において、外側に偏って移動する足裏の重心に対して、外側縦アーチ後部隆起部は、立方骨に当接してこれを支持する。又、中足骨外側隆起部のうち、第３趾〜第４趾の中足骨アーチ部に当接するように隆起した中央外側隆起は足裏の中足骨アーチの凹部中央部の外側部分を支持し、外側縦アーチの中央下部を横断するように隆起した外側縦アーチ隆起は外側縦アーチの中央下部を直接に支持する。従って、足骨格全体としてはニュートラルポジションに維持されながら、外側に偏って移動する足裏の重心に対してこれらの隆起部が強い支持効果を示す。
【００２０】
重心移動の後期において、内側に偏って移動する足裏の重心に対して、種子骨凹部が、親指の中足骨骨頭部下側にある種子骨を受け止めて、重心を支持する。従って、足骨格全体としてはニュートラルポジションに維持されながら、内側に偏って移動する足裏の重心に対して、種子骨凹部が強い安定・支持効果を示す。
【００２１】
（第３発明の効果）
第３発明においては、種子骨凹部がインソール表面の基準面よりも下方へ凹陥しており、あるいはインソールを底部までくり抜いた孔として形成されているので、第２発明で述べた種子骨凹部の安定・支持効果が特に強く得られる。
【００２２】
（第４発明及び第５発明の効果）
第４発明及び第５発明のハーフインソールは、要するに、第１発明〜第３発明に係るインソールにおいて、そのインソール表面内側の凹部もしくは種子骨凹部を含む前半部分を切り欠いた形態のものである。
【００２３】
これらのハーフインソールは、第１発明〜第３発明に係るインソールと同様に、インソール表面の外側にスポット状に所定の隆起部を設けているので、歩行時の重心移動の前期においては、これらの隆起部が強い支持効果を示す。
【００２４】
一方、ハーフインソールはインソール表面内側の凹部もしくは種子骨凹部を備えていないが、これらの凹部を含む前半部分を切り欠いているので、重心移動の後期において、切り欠き部分の落差によって実質的にインソール表面内側の凹部もしくは種子骨凹部と同様の作用が確保される。
【発明を実施するための最良の形態】
【００２５】
次に本発明を実施するための形態を、その最良の形態を含めて説明する。
【００２６】
〔インソールの主要な構成〕
本発明のインソールは、全体として板状である可撓性材料からなり、足裏に対応した平面形状を有するインソールにおいて、インソール表面の外側（足の小指側）にスポット状に設けた隆起部と、インソール表面の内側（足の親指側）にスポット状に設けた凹部とを、歩行時の足裏の重心移動ラインに沿って配設したものである。
【００２７】
インソールは、必ずしも限定はされないが、全体として平坦な板状であることが好ましい。又、インソール全体が単一の構成材料を以て一体的に成形されていても良く、同種あるいは異種の材料からなる積層構造を持つものであっても良い。
【００２８】
本発明のインソールは、より好ましくは、上記隆起部が次の（１）及び（２）に示すものであり、上記凹部が下記の（３）に示すものである。
（１）外側縦アーチ後部に位置する立方骨に当接して、これを支持するように隆起した外側縦アーチ後部隆起部。
（２）第３趾〜第４趾の中足骨アーチ部に当接するように隆起した中央外側隆起と、外側縦アーチの中央下部を横断するように隆起した外側縦アーチ隆起からなる中足骨外側隆起部。この中足骨外側隆起部における外側縦アーチ隆起部は、中央外側隆起部から外側縦アーチ方向へ連続的に延設され、外側縦アーチの下部を横断するように隆起している。
（３）親指の中足骨骨頭部下側にある種子骨を受け止める位置にある種子骨凹部。
【００２９】
更に好ましくは、種子骨凹部がインソール表面の基準面よりも下方へ凹陥した凹部であり、又はインソールを底部までくり抜いた孔である。「インソール表面の基準面」とは、板状であるインソールにおける隆起部でも凹部でもない表面を言う。
【００３０】
インソールの構成材料は可撓性材料である限りにおいて種類を限定されないが、好ましくは、例えばラバー、ポリウレタン、ＥＶＡ、ポリエチレン、軟質塩化ビニル等からなる。また、緩衝性の高い発泡性素材からなることが好ましい。発泡素材における気泡率（気泡が占める容積割合）は限定されない。インソールの厚さは必要に応じて適宜に決定すれば良いが、例えば、１ｍｍ〜７ｍｍ程度の範囲内が好ましい。
【００３１】
〔インソールにおけるその他の構造〕
本発明のインソールにおいては、前記した各種の隆起部及び凹部の他にも、例えば、インソール上面の後端部周縁において足の踵部の周囲を取り囲むように隆起したヒールカップ隆起や、そのヒールカップ隆起がインソールの内側周縁沿いに内側アーチ下方のほぼ中央部まで延設された内側アーチサポート隆起を設けることができる。
【００３２】
〔インソールの加工方法〕
本発明のインソールの加工にあたっては、切削加工や型成形その他の公知の各種加工方法を任意に選択して利用することができる。例えば切削加工においては、装着者個人の足骨格等の計測データを取得したもとで、コンピュータを利用してインソールのデザイン及び加工を行う、いわゆるＣＡＤ／ＣＡＭの手法によるオーダーメードの加工方法が特に好ましい。
【００３３】
〔ハーフインソール〕
本発明のハーフインソールは、全体として板状である可撓性材料からなり、足裏の後半部に対応した平面形状を有し、インソール表面の外側（足の小指側）にスポット状に設けた隆起部を歩行時の足裏の重心移動ラインに沿って配設したものである。より好ましい具体的な形態において、本発明のハーフインソールは、上記の隆起部が下記の（１）及び（２）に示すものである。
（１）外側縦アーチ後部に位置する立方骨に当接して、これを支持するように隆起した外側縦アーチ後部隆起部。
（２）第３趾〜第４趾の中足骨アーチ部に当接するように隆起した中央外側隆起と外側縦アーチの中央下部を横断するように隆起した外側縦アーチ隆起からなる中足骨外側隆起部。
【００３４】
言い換えれば、ハーフインソールは、インソールの表面内側の凹部もしくは種子骨凹部を含む前半部分を切り欠いた形態のものであって、この場合の切り欠き線は、中足骨外側隆起部の前端部あるいは前方を通過し、かつ種子骨凹部の後端部あるいは後方を通過する直線、折れ線状の直線あるいは曲線である。
【００３５】
ハーフインソールにおける上記以外の点の構成、加工方法等は上記したインソールの場合と同様である。
【実施例】
【００３６】
以下に本発明の実施例を説明する。本発明の技術的範囲は、下記の実施例によって制約されない。
【００３７】
〔実施例１：インソール〕
図２に平面図を示す本実施例のインソール１は左足用のものであるが、右足用のインソールは、これと対称に形成される。インソール１は発泡性の可撓性樹脂材料からなり、その縦方向（図の上下方向）の長さがほぼ２５ｃｍ、横方向の最大幅がほぼ９ｃｍのサイズであり、足裏の形状Ｂに対応した平面形状を有する。インソール１は単一の構成材料からなる単層のものでも良いが、同一又は異なる構成材料を層状に接合させた積層構造を持つこともできる。
【００３８】
このインソール１は、後述する各種隆起部や凹部の形成部分を除いては、全体的に約３ｍｍの厚さを有する。図２の縦方向のＸ−Ｘ線断面図である図３（ａ）及びＹ−Ｙ線断面図である図３（ｂ）から分かるように、インソール１は、全体として平坦な形状の板状を呈する。
【００３９】
図２及び図３に示すように、歩行時の足裏の重心移動ラインＡに沿って、インソール１の表面の外側（足の小指側）には外側縦アーチ後部隆起部２と中足骨外側隆起部３を、インソール１の表面の内側には種子骨凹部４を設けている。これらの隆起部の高さあるいは凹部の深さは任意に設定できるが、例えば２〜３ｍｍ程度の隆起部の高さあるいは凹部の深さとすることができる。
【００４０】
図４に示すように、足骨格には外側縦アーチ５、内側縦アーチ６、横アーチ７と言うアーチ構造が知られているが、上記の外側縦アーチ後部隆起部２は、重心移動ラインＡ上にあって、足骨格の外側縦アーチ５の後部に位置する立方骨８に当接しこれを支持するような位置に隆起している。
【００４１】
次に、中足骨外側隆起部３は、重心移動ラインＡ上にあって、中央外側隆起３ａと外側縦アーチ隆起３ｂが一体的に形成されたものである。これらの内、中央外側隆起３ａは、図４に示す足の第１趾９〜第５趾１３の内の第３趾１１〜第４趾１２の中足骨アーチ部に当接するように隆起しており、外側縦アーチ隆起３ｂは、外側縦アーチ５の中央下部を横断するように隆起している。
【００４２】
次に、種子骨凹部４は、重心移動ラインＡ上にあって、第１趾９である親指の中足骨骨頭部下側にある種子骨（平面図である図４では見えていない）を受け止める位置に形成されている。種子骨凹部４は、図３（ｂ）から分かるように、インソール１の表面の基準面よりも下方へ凹陥した凹部であるが、インソール１を底部までくり抜いた孔として形成しても良い。
【００４３】
以上の他にも、インソール１の表面の後端部周縁において、足の踵部の周囲を取り囲むように隆起した、隆起高さが５〜１０ｍｍ程度であるヒールカップ隆起１４を形成している。このヒールカップ隆起１４は足の踵部全体をサポートするもので、その一端は前記の外側縦アーチ後部隆起部２につながっており、その他端は内側アーチサポート隆起１５につながっている。内側アーチサポート隆起１５は、インソール１の内側周縁沿いに前記内側縦アーチ６の下方のほぼ中央部まで延設された、隆起高さが５〜１０ｍｍ程度の隆起である。
【００４４】
〔実施例２：ハーフインソール〕
本実施例のハーフインソールは、図２に示すインソール１における切り欠き線Ｃよりも後方部分（図２の下方部分）のみからなる。このハーフインソールは、そのような形状のものとして加工されたものであっても良いし、実施例１に係るインソール１を切り欠き線Ｃに沿ってカットしたものであっても良い。
【００４５】
従って、このハーフインソールは外側縦アーチ後部隆起部２、中足骨外側隆起部３、ヒールカップ隆起１４及び内側アーチサポート隆起１５を備えているが、種子骨凹部４は備えていない。しかし、ハーフインソールの前端部（切り欠き線Ｃに沿う部分）においては、前記インソール１の種子骨凹部４がインソール１を底部までくり抜いた孔として形成された場合と同じ落差（３ｍｍ）があるので、結果的に種子骨凹部４がある場合と同様の効果が確保される。
【産業上の利用可能性】
【００４６】
本発明のインソール及びハーフインソールは、Ｏ脚や変形性膝関節症（内反変位）の患者、又はその傾向のある者が装着するのに好適である。
【図面の簡単な説明】
【００４７】
【図１】従来のインソールの不具合を示す図である。
【００４８】
【図２】実施例に係るインソールの平面図である。
【００４９】
【図３】図３（ａ）は図１のＸ−Ｘ線断面の端面図であり、図３（ｂ）は図１のＹ−Ｙ線断面の端面図である。
【００５０】
【図４】左足の足骨格の平面図である。
【符号の説明】
【００５１】
Ａ              歩行時の足裏の重心移動ライン
Ｂ              足裏
Ｃ              切り欠き線
１              インソール
２              外側縦アーチ後部隆起部
３              中足骨外側隆起部
３ａ            中央外側隆起
３ｂ            外側縦アーチ隆起
４              種子骨凹部
５              外側縦アーチ
６              内側縦アーチ
７              横アーチ
８              立方骨
１４            ヒールカップ隆起
１５            内側アーチサポート隆起
【図１】
2010115291.tif 000003
【図２】
2010115291.tif 000004
【図３】
2010115291.tif 000005
【図４】
2010115291.tif 000006